(57)【要約】【課題】容易に開封することができる注出口栓及び包装容器を提供する。【解決手段】包装容器本体と、包装容器本体の注出口に設けられたスパウトと、スパウトを封止する封止フィルムであって、薄肉部を介してスパウトに接続された封止フィルムと、封止フィルムの上方に設けられ、封止フィルムに固定された２つの足部と、２つの足部を繋ぐブリッジ部とを有し、封止フィルムを上方に引っ張るための引張部材と、引張部材のブリッジ部の下部に設けられたタブとを有する注出口栓と、注出口栓のスパウトを覆うキャップとを有する包装容器である。【選択図】図３
2016196311.tif 000002
【特許請求の範囲】
【請求項１】
包装容器の注出口に設けられたスパウトと、
前記スパウトを封止する封止フィルムであって、薄肉部を介して前記スパウトに接続された封止フィルムと、
前記封止フィルムの上方に設けられ、前記封止フィルムに固定された２つの足部と、前記２つの足部を繋ぐブリッジ部とを有し、前記封止フィルムを上方に引っ張るための引張部材と、
前記引張部材の前記ブリッジ部の下部に設けられたタブと
を有することを特徴とする注出口栓。
【請求項２】
請求項１記載の注出口栓において、
前記タブは前記ブリッジ部の中央に設けられている
ことを特徴とする注出口栓。
【請求項３】
請求項１記載の注出口栓において、
前記タブは前記ブリッジ部の中央からずれた位置に設けられている
ことを特徴とする注出口栓。
【請求項４】
包装容器本体と、
前記包装容器本体の注出口に設けられたスパウトと、前記スパウトを封止する封止フィルムであって、薄肉部を介して前記スパウトに接続された封止フィルムと、前記封止フィルムの上方に設けられ、前記封止フィルムに固定された２つの足部と、前記２つの足部を繋ぐブリッジ部とを有し、前記封止フィルムを上方に引っ張るための引張部材と、前記引張部材の前記ブリッジ部の下部に設けられたタブとを有する注出口栓と、
前記注出口栓の前記スパウトを覆うキャップと
を有することを特徴とする包装容器。
【発明の詳細な説明】
【技術分野】
【０００１】
本発明は、注出口栓及び包装容器に関する。
【背景技術】
【０００２】
発酵乳飲料、牛乳、ミネラルウォーター、茶、ジュース、スープ、アルコール類等の流動性食品を収容する包装容器が知られている。包装容器の注出口には、破断可能な封止フィルム（エンブレム）で封止されたスパウトと、スパウトを覆うキャップと、スパウトに内蔵された開封手段とを有する注出口栓が形成される。そのような注出口栓として、様々なタイプのものが提案されている。
【先行技術文献】
【特許文献】
【０００３】
【特許文献１】特開２００８−１２０３９５号公報
【発明の概要】
【発明が解決しようとする課題】
【０００４】
本発明の目的は、容易に開封することができる注出口栓及び包装容器を提供することにある。
【課題を解決するための手段】
【０００５】
本発明の一態様による注出口栓は、包装容器の注出口に設けられたスパウトと、前記スパウトを封止する封止フィルムであって、薄肉部を介して前記スパウトに接続された封止フィルムと、前記封止フィルムの上方に設けられ、前記封止フィルムに固定された２つの足部と、前記２つの足部を繋ぐブリッジ部とを有し、前記封止フィルムを上方に引っ張るための引張部材と、前記引張部材の前記ブリッジ部の下部に設けられたタブとを有することを特徴とする。
【０００６】
上述した注出口栓において、前記タブは前記ブリッジ部の中央に設けてもよい。
【０００７】
上述した注出口栓において、前記タブは前記ブリッジ部の中央からずれた位置に設けてもよい。
【０００８】
本発明の一態様による包装容器は、包装容器本体と、前記包装容器本体の注出口に設けられたスパウトと、前記スパウトを封止する封止フィルムであって、薄肉部を介して前記スパウトに接続された封止フィルムと、前記封止フィルムの上方に設けられ、前記封止フィルムに固定された２つの足部と、前記２つの足部を繋ぐブリッジ部とを有し、前記封止フィルムを上方に引っ張るための引張部材と、前記引張部材の前記ブリッジ部の下部に設けられたタブとを有する注出口栓と、前記注出口栓の前記スパウトを覆うキャップとを有することを特徴とする。
【発明の効果】
【０００９】
以上の通り、本発明によれば、包装容器の注出口に設けられたスパウトと、スパウトを封止する封止フィルムであって、薄肉部を介してスパウトに接続された封止フィルムと、封止フィルムの上方に設けられ、封止フィルムに固定された２つの足部と、２つの足部を繋ぐブリッジ部とを有し、封止フィルムを上方に引っ張るための引張部材と、引張部材のブリッジ部の下部に設けられたタブとを有するので、注出口栓を容易に開封することができる。
【図面の簡単な説明】
【００１０】
【図１】本発明の第１実施形態による包装容器を示す斜視図である。
【図２】本発明の第１実施形態による包装容器を示す側面図である。
【図３】本発明の第１実施形態による包装容器の注出口栓の開封方法の説明図である。
【図４】本発明の第２実施形態による包装容器を示す斜視図である。
【図５】本発明の第２実施形態による包装容器を示す側面図である。
【発明を実施するための形態】
【００１１】
［第１実施形態］
本発明の第１実施形態による包装容器について図１乃至図３を用いて説明する。図１は本実施形態による包装容器を示す斜視図であり、図２は本実施形態による包装容器を示す側面図であり、図３は本実施形態による包装容器の注出口栓の詳細及び開封方法を示す図である。
【００１２】
本実施形態による包装容器１０は、包装容器本体１２のドーム状頂部１３の中央に注出口栓１４が設けられている。注出口栓１４は、運搬時、保管時等には、キャップ１６が被せられている。
【００１３】
注出口栓１４として、包装容器本体１２の注出口１８に筒型のスパウト２０が設けられている。スパウト２０の外周面には雄ねじ２１が形成されている。キャップ１６の内周面には雌ねじ（図示せず）が形成されている。キャップ１６を注出口栓１４のスパウト２０に被せて回転させることにより、注出口栓１４のスパウト２０にキャップ１６を装着する。キャップ１６を注出口栓１４のスパウト２０から取り外すときは、キャップ１６を逆方向に回転させる。
【００１４】
注出口栓１４のスパウト２０には、図３（ａ）に示すように、スパウト２０を封止するための封止フィルム（エンブレム）２２が設けられている。封止フィルム（エンブレム）２２は、薄肉部２３を介して筒型のスパウト２０の上部に接続されている。封止フィルム（エンブレム）２２を上方に引っ張ると、薄肉部２３が破壊されて封止フィルム（エンブレム）２２をスパウト２０から離脱させることができる。
【００１５】
スパウト２０は、例えば、ＬＤＰＥ（Low Density Polyethylene：低密度ポリエチレン）により形成され、キャップ１６は、例えば、ＨＤＰＥ（High Density Polyethylene：高密度ポリエチレン）により形成され、封止フィルム（エンブレム）２２は、例えば、ＬＤＰＥにより形成され、薄肉部２３は、例えば、ＬＤＰＥにより形成されている。
【００１６】
注出口栓１４のスパウト２０の直径は、例えば、３０〜４０ｍｍであり、肉厚は、例えば、０．５〜１．５ｍｍである。封止フィルム（エンブレム）２２の膜厚は、例えば、０．５〜１．５ｍｍであり、薄肉部２３は、例えば、０．１〜０．５ｍｍである。
【００１７】
封止フィルム（エンブレム）２２には、封止フィルム（エンブレム）２２を上方に引っ張るために引張部材２４が設けられている。引張部材２４は、封止フィルム（エンブレム）２２の周縁部に固定された２つの足部２６ａ、２６ｂと、２つの足部２６ａ、２６ｂを繋ぐ円弧状のブリッジ部２８とにより構成されている。
【００１８】
本実施形態では、引張部材２４のブリッジ部２８の中央下部に突出したタブ３０が設けられている。タブ３０は、図１、図２に示すように、円弧状のブリッジ部２８の中央に突出し、ブリッジ部２８の中央に対して左右対称な形状をしている。タブ３０の断面は、図３（ａ）に示すように、ブリッ部２８から下方になるにしたがい薄くなっている。
【００１９】
ブリッジ部２８は、例えば、ＬＤＰＥにより形成され、タブ３０は、例えば、ＬＤＰＥにより形成されている。
【００２０】
引張部材２４のブリッジ部２８の断面は、例えば、３．０〜５．０ｍｍの四角形状である。ブリッジ部２８は、例えば、２０〜３０ｍｍ径の円弧で、その中心角は、例えば、１５０〜１８０度である。
【００２１】
タブ３０の幅は、例えば、１０〜１８ｍｍであり、その高さは、例えば、２．０〜５．０ｍｍである。タブ３０はブリッジ部２８に連続し、その上部の幅は、例えば、２．５〜５．０ｍｍであり、徐々に薄くなっている。
【００２２】
本実施形態では、引張部材２４のブリッジ部２８の中央下部にタブ３０が設けられているので、図３（ｂ）に示すように、操作者が、引張部材２４のブリッジ部２８に指３２に引っ掛けようとすると、タブ３０によりブリッジ部２８が一方向に捻られる。ブリッジ部２８が一方向に捻られることにより、その捻る力が足部２６ａ、２６ｂを介して、封止フィルム（エンブレム）２２に伝達され、封止フィルム（エンブレム）２２周縁に対して不均一な力が加わる。その結果、封止フィルム（エンブレム）２２周縁の薄肉部２３の一部に強い力が加わり、その個所から薄肉部２３が破壊されて、封止フィルム（エンブレム）２２をスパウト２０から容易に離脱させることができる。
【００２３】
ブリッジ部２８にタブ３０が設けられていないと、操作者が、引張部材２４のブリッジ部２８に指３２に引っ掛けて上方に引っ張ろうとすると、ブリッジ部２８の足部２８ａ、２８ｂを介して、封止フィルム（エンブレム）２２周縁に均一な力が加わる。その結果、封止フィルム（エンブレム）２２周縁の薄肉部２３全体に力が分散され、薄肉部２３を破壊するのに強い力が必要となる。
【００２４】
これに対し、本実施形態によれば、操作者がタブ３０を指に引っ掛けてブリッジ部２８を捻ることにより、封止フィルム（エンブレム）２２周縁に不均一な力が加わり、封止フィルム（エンブレム）２２周縁の薄肉部２３を容易に破壊することができる。
【００２５】
［第２実施形態］
本発明の第２実施形態による包装容器について図４及び図５を用いて説明する。図４は本実施形態による包装容器を示す斜視図であり、図５は本実施形態による包装容器を示す側面図である。前述した第１実施形態と同一構成部分には同一の符号を付して説明を省略又は簡略にする。
【００２６】
本実施形態による包装容器１０は、包装容器本体１２のドーム状頂部１３の中央に注出口栓１４が設けられている。注出口栓１４は、運搬時、保管時等には、キャップ１６が被せられている。
【００２７】
注出口栓１４として、包装容器本体１２の注出口１８に筒型のスパウト２０が設けられている。スパウト２０の外周面には雄ねじ２１が形成されている。キャップ１６の内周面には雌ねじ（図示せず）が形成されている。
【００２８】
注出口栓１４のスパウト２０には、スパウト２０を封止するための封止フィルム（エンブレム）２２が設けられている。封止フィルム（エンブレム）２２は、薄肉部２３を介して筒型のスパウト２０の上部に接続されている。
【００２９】
封止フィルム（エンブレム）２２には、封止フィルム（エンブレム）２２を上方に引っ張るために引張部材２４が設けられている。引張部材２４は、封止フィルム（エンブレム）２２の周縁部に固定された２つの足部２６ａ、２６ｂと、２つの足部２６ａ、２６ｂを繋ぐ円弧状のブリッジ部２８とにより構成されている。
【００３０】
本実施形態では、引張部材２４のブリッジ部２８の中央から一方向にずれた位置の下部に突出したタブ３４が設けられている。タブ３４は、図１、図２に示すように、円弧状のブリッジ部２８の中央から一方向にずれた位置に突出している。タブ３４の断面は、第１実施形態と同様に、ブリッ部２８から下方になるにしたがい薄くなっている。
【００３１】
タブ３４の幅は、例えば、１０〜１３ｍｍであり、その高さは、例えば、２．０〜５．０ｍｍである。タブ３４はブリッジ部２８に連続し、その上部の幅は、例えば、２．５〜５．０ｍｍであり、徐々に薄くなっている。
【００３２】
本実施形態では、引張部材２４のブリッジ部２８の中央から一方向にずれた位置の下部にタブ３４が設けられているので、タブ３４が設けられていない、ブリッジ部２８の中央から他方向の下部に大きな空間が形成される。このため、操作者がブリッジ部２８の下部に容易に指を入れることができる。
【００３３】
そして、操作者が指を入れてタブ３４によりブリッジ部２８を一方向に捻ることにより、封止フィルム（エンブレム）２２周縁に対して不均一な力が加わり、薄肉部２３を破壊して、封止フィルム（エンブレム）２２をスパウト２０から容易に離脱させることができる。
【００３４】
［変形実施形態］
本発明は上記実施形態に限らず種々の変形が可能である。
【００３５】
例えば、上記実施形態では、ブリッジ部の中央下部や、中央から一方向にずれた位置の下部にタブを設けたが、タブの形成位置やその形状や上記実施形態のものに限らない。
【００３６】
また、上記実施形態では、封止フィルムの周縁にほぼ均一の薄肉部を介してスパウトに接続されているが、封止フィルムの周縁のうち一部、例えば、タブによりブリッジ部が捻られることにより強い力が加わる部分の薄肉部をより薄くするようにしてもよい。これにより、封止フィルムをスパウトからより容易に離脱させることができる。
【符号の説明】
【００３７】
１０…包装容器
１２…包装容器本体
１３…ドーム状頂部
１４…注出口栓
１６…キャップ
１８…注出口
２０…スパウト
２１…雄ねじ
２２…封止フィルム（エンブレム）
２３…薄肉部
２４…引張部材
２６ａ、２６ｂ…足部
２８…ブリッジ部
３０…タブ
３２…指
３４…タブ
【図１】
2016196311.tif 000003
【図２】
2016196311.tif 000004
【図３】
2016196311.tif 000005
【図４】
2016196311.tif 000006
【図５】
2016196311.tif 000007